Podtech/llm-jp-corpus-v4-ja_patent huggingface dataset:
(57)【特許請求の範囲】
【請求項１】
１つの平面を曲げて形成される平行な２つの平面に２つずつ位置付けられた４つの歯を含み一定の厚さである二重フォーク状であり、当該４つの歯は、当該４つの歯の中央部に位置する中央孔を介して保持テールに接合される二重鋸歯状の給仕用のフォークであって、
前記各平面の２つの歯の間隔は、歯の先端側ほど狭く、各歯の先端部には、それぞれ２つの歯の内側に向かってラチェットを備え、
また、前記４つの歯は、正方形の四隅を表す位置に配置されて、前記中央孔から同一距離であり、保持テールに接続される柄の軸に関して対称なことで、柄を軸にして回転容易である
ことを特徴とする二重鋸歯状給仕用フォーク。
【請求項２】
保持テールに接続された柄が円筒状ある
請求項１に記載の二重鋸歯状給仕用フォーク。
【発明の詳細な説明】
【技術分野】
【０００１】
本発明は、料理の分野で使用する鋸歯状の二重フォークに関するものであって、具体的には、給仕長（大食堂の支配人）が、大食堂において客のいるところで、または客の前で、料理を完成させて支度する、現代的なレストランで使用する鋸歯状の二重フォークに関する。
【背景技術】
【０００２】
本発明は、ファストフード（ファストフード、持ち帰り料理）に関連するさまざまなもてなし料理において利用法が見いだされる。
【発明の概要】
【課題を解決するための手段】
【０００３】
各図面からわかるように、このタイプの用具は、器具の４つの歯が正方形の四隅を表す位置に配置されており、かつ、扱われるべき生産物をしっかりと保持している間、その生産物の安定性を維持するラチェット（荒地型の歯）を備えているため、調製を行う（皮の除去または生産物の破砕）際の生産物の安定性が得られる。
【発明の効果】
【０００４】
本器具は、さまざまな食品に対するさまざまな状況における使用に向けてさまざまなサイズで提供される。このように、切断する間に生産物を損傷せずに正しい方向に切断することができ、客の前で給仕することによって、生産物をそのまましまっておくことができ、管理の簡易化が可能になる。
一方、以前に使用されていた方法には、不適正な安定性、料理用生産物の正確な取り扱い性の欠如、料理用生産物を切断する際の精度の欠如といったいくつかの欠点があり、経済的な効果が見られないことがよくある。
【図面の簡単な説明】
【０００５】
【図１】本発明の説明図
【図２】本発明の説明図
【図３】本発明の説明図
【図４】本発明の説明図
【図５】本発明の説明図
【図６】本発明の説明図
【発明を実施するための形態】
【０００６】
図１は、半径Ｒが６ｍｍのアーチ型の外形を有し、伸長要素（後方へ引っ張られていない／広げられた）の長さが９６ｍｍで、幅が１９ｍｍ、厚さが１．５ｍｍ、保持テールに接続する働きをする中央孔の直径がφ４ｍｍである、ラチェット状の歯を示す図である。
【０００７】
図２は、半径Ｒが９ｍｍのアーチ型の外形を有し、伸長した要素（後方へ引っ張られていない／広げられた）の長さが１０６ｍｍで、幅が２１ｍｍ、厚さが１．５ｍｍ、保持テールに接続する働きをする中央孔の直径がφ４ｍｍである、ラチェット状の歯を示す図である。
【０００８】
図３は、半径Ｒが１０ｍｍで長さが６ｍｍのアーチ型の外形を有し、伸長した要素（後方へ引っ張られていない）の長さが１４６ｍｍで、幅が４０．３１ｍｍ、厚さが２ｍｍ、保持テールに接続する働きをする中央孔の直径がφ４ｍｍであり、中央歯の長さが１０ｍｍで内半径が４ｍｍである、ラチェット状の歯を示す図である。
【０００９】
図４は、半径Ｒが１４．５ｍｍで長さが１０ｍｍのアーチ型の外形を有し、伸長した要素（後方へ引っ張られていない／広げられた）の長さが１４６ｍｍで、幅が４０．３１ｍｍ、厚さが２ｍｍ、保持テールに接続する働きをする中央孔の直径がφ４ｍｍであり、中央歯の長さが１０ｍｍで内半径が４ｍｍである、ラチェット状の歯を示す図である。
【００１０】
図５は、半径Ｒが９．２８ｍｍで長さが６ｍｍのアーチ型の外形を有し、伸長した要素（後方へ引っ張られていない／広げられた）の長さが１４６ｍｍで、幅が４８．８３ｍｍ、厚さが２ｍｍ、保持テールに接続する働きをする中央孔の直径がφ４ｍｍであり、中央歯の長さが１０ｍｍで内半径が７ｍｍである、ラチェット状の歯を示す図である。
【００１１】
図６は、半径Ｒが１４．５ｍｍで長さが１０ｍｍのアーチ型の外形を有し、伸長した要素（後方へ引っ張られていない／広げられた）の長さが１４６ｍｍで、幅が４８．８３ｍｍ、厚さが２ｍｍ、保持テールに接続する働きをする中央孔の直径がφ４ｍｍであり、中央歯の長さが１０ｍｍで内半径が７ｍｍである、ラチェット状の歯を示す図である。
【図１】
0006246122.tif 000002
【図２】
0006246122.tif 000003
【図３】
0006246122.tif 000004
【図４】
0006246122.tif 000005
【図５】
0006246122.tif 000006
【図６】
0006246122.tif 000007